(57)【要約】【課題】カッターの組み立て、分解の際、刃が跳ねることなく、危険性を極力少なくするとともに、厚い刃を使うことができ、刃の曲がりをなくし、しかも刃の有効突出量を大きくすることができ、硬いシート材あるいは厚いシート材にも適応でき、硬い試験片、厚い試験片も成形できる新規な打ち抜きカッターを提供する。【解決手段】平面形状が試験片と同一形状をしたベース型板１と、複数に分割した刃であり、この分割した刃５を組み合わせて試験片と同一形状になるよう予め成形してある刃５と、上記ベース型板１の外側面をなす辺にほぼ密着する形状の側面を有する複数に分割した押え板８と、上記ベース型板１上に固定する支持板１１とからなり、上記刃５をベース型板１と押え板８との間に挟持し、このベース型板１及び押え板８から突出させて固定し、支持板１１をベース型板１上に固定してある。【選択図】　　図１
2004050344.tif 000002
【特許請求の範囲】
【請求項１】
平面形状が試験片と同一形状をしたベース型板と、複数に分割した刃であり、この分割した刃を組み合わせて試験片と同一形状になるよう予め成形してある刃と、上記ベース型板の外側面をなす辺にほぼ密着する形状の側面を有する複数に分割した押え板と、上記ベース型板上に固定する支持板とからなり、上記刃をベース型板と押え板との間に挟持し、このベース型板及び押え板から突出させて固定し、支持板をベース型板上に固定してある打ち抜きカッター。
【請求項２】
上記分割した刃を一対とし、それぞれが試験片の端面と側面に合致する形状とし、同じく分割した押え板を一対とし、それぞれが試験片の端面と側面に合致する形状の側面を有する形状とした上記請求項１に記載の打ち抜きカッター。
【請求項３】
上記分割した一対の刃をほぼＬ字型又はコ字型形状とし、同じく一対の押え板をほぼＬ字型又はコ字型形状としてある上記請求項２に記載の打ち抜きカッター。
【請求項４】
突出する刃を保護し、打ち抜いた試験片及びシート材を押し出す押し出し兼保護用弾性板を設けてある上記請求項１〜３の何れかに記載の打ち抜きカッター。
【請求項５】
上記押し出し兼保護用弾性板がスポンジ板である上記請求項４に記載の打ち抜きカッター。
【発明の詳細な説明】
【０００１】
【発明の属する技術分野】
本発明は、ゴムシート、合成樹脂シート、紙シート等のシート材から、ダンベル状、短冊状等の試験片を打ち抜き成形するために使用する打ち抜きカッターに関する。
【０００２】
【従来の技術】
平面形状が試験片と同一形状としたベース型板と、このベース型板の四つの側面にほぼ密着する形状の４枚の押え板と、これら押え板とベース型板との間に挟持される４枚の刃と、ベース型板の上面に固定される支持板と、この支持板上に固定する把持ボスとから構成される打ち抜きカッターは特公平７−６１６３９号により公知である。
【０００３】
【発明が解決しようとする課題】
上記公知の打ち抜きカッターは、厚さが０．３ｍｍ程の薄い帯状の鋼板の刃であり、大きな可撓性を有するため、カッターを組み立てるとき、あるいは分解するときに、刃が跳ねてきわめて危険であるという課題がある。また、刃の形状が急激に変わる部分は、刃先が試験片と同一形状をしたベース型板と同じ値にならないため、ベース型板を修正して刃先形状を試験片の規格値に合わせなければならないという課題がある。さらに、刃が薄いため、厚いシート材あるいは硬いシート材を打ち抜くとき、刃が曲がるという課題があり、その結果、刃の有効突出量に限界があり、厚い試験片には対応できないという課題がある。さらに、公知の打ち抜きカッターは、試験片をシート材から押し出すために拡圧弾力を付与したノックアウト板を刃の内側だけに設けてあり、シート材から試験片を打ち抜く際、硬度の低いゴムの場合、刃間隔よりも狭い幅のノックアウト板でゴムを圧縮するため、ノックアウト板の跡形が試験片に付いて凹状になり縁が膨らむ形状になり、後で行う試験片の厚さが実際の値よりも大きくなり、試験データに影響するという問題もある。
【０００４】
本発明は、上記課題に鑑み、カッターの組み立て、分解の際、刃が跳ねることなく、危険性を極力少なくするとともに、厚い刃を使うことができ、刃の曲がりをなくし、しかも刃の有効突出量を大きくすることができ、硬いシート材あるいは厚いシート材にも適応でき、硬い試験片、厚い試験片も成形できるとともに、ベース型板を試験片の規格に合せればよい新規な打ち抜きカッターを提供するものである。
【０００５】
【課題を解決するための手段】
そのために、本発明打ち抜きカッターは、平面形状が試験片と同一形状をしたベース型板と、複数に分割した刃であり、この分割した刃を組み合わせて試験片と同一形状になるよう予め成形してある刃と、上記ベース型板の外側面をなす辺にほぼ密着する形状の側面を有する複数に分割した押え板と、上記ベース型板上に固定する支持板とからなり、上記刃をベース型板と押え板との間に挟持し、このベース型板及び押え板から突出させて固定し、支持板をベース型板上に固定してある。即ち、本発明では、複数に分割した刃を組み合わせて試験片と同一形状になるよう予め成形してあるから、この刃をベース型板と押え板との間に挟持して組み立てる際、あるいは分解する際、刃を変形させることなく、従って刃が跳ねることなく、危険がきわめて少ない。また、刃を変形させることがないから、刃の厚みを厚くすることができ、打ち抜きの際に刃が曲がることなく、その結果刃の有効突出量を大きくでき、硬いシート材あるいは厚いシート材からも硬い試験片又は厚い試験片を打ち抜き成形することができる。
【０００６】
本発明打ち抜きカッターは、上記分割した刃を一対とし、それぞれが試験片の端面と側面に合致する形状とし、同じく分割した押え板を一対とし、それぞれが試験片の端面と側面に合致する形状の側面を有する形状としたものであり、また、上記分割した一対の刃をほぼＬ字型又はコ字型形状とし、同じく一対の押え板をほぼＬ字型又はコ字型形状としてある。即ち、この構成により、四分割に比しカッターの組み立て、分解の作業を容易且つ迅速に行うことができる。
さらに、本発明打ち抜きカッターは、突出する刃を保護し、打ち抜いた試験片及びシート材を押し出す押し出し兼保護用弾性板を設けてあり、また、上記押し出し兼保護用弾性板がスポンジ板である。即ち、この構成により、刃を安全に保護することができ、人的にも安全であり、試験片を打ち抜いた際に試験片に何らの跡形が付くこともない。
【０００７】
【発明の実施の形態】
以下図面に示した実施例により本発明の詳細を説明する。図中１が平面形状が試験片と同一形状をした所望厚さのあるベース型板で、試験片がダンベル状であればそのダンベル状と同一の平面形状を有し、試験片が短冊状であれば同一の平面形状を有する。図示実施例はダンベル状のものを示してある。このベース型板１には、その平面に後述する支持板を固定するための２ケのネジ孔２を有し、さらに、両端面にはそれぞれ１ケづつのネジ孔３を有し、さらに、その両側面には、その両端近傍位置にそれぞれ１ケづつのネジ孔４と中央位置には２ケのボルト挿通用透孔１８を設けてある。
【０００８】
また、図中５が一対に分割した刃であり、この一対に分割した刃５，５を組み合わせて試験片と同一形状となるよう予め成形してあり、図示実施例では１つの刃がベース型板１の一方の端面と一側面に密着するような形状に形成してある。そして一対の刃５，５は対称形状に構成してある。この刃にはそれぞれ上記ベース型板１のネジ孔３及び４に対応する位置にボルト挿通用のスリット６及び７が形成してあり、図示実施例では刃５はダンベル状の端面と側面に合致するほぼ変形Ｌ字形状をなしてある。またこの刃はその有効突出量をとるため、その幅をベース型板１の厚みより所定量大きくしてある。
【０００９】
さらに、図中８が上記ベース型板１の外側面をなす辺にほぼ密着する形状の側面を有する２つに分割した押え板で、その側面がダンベル状のベース型板１の一方の端面と一側面に密着するような形状であるほぼＬ字形状に形成してある。そして一対の押え板８，８は対称形状に構成してあり、ベース型板１と同じ厚みにしてある。この押え板８にはそれぞれ上記ベース型板１のネジ孔３及び４に対応する位置にボルト挿通用透孔９及び１０を設けてある。また、このベース型板の上記刃の角に対応する位置に刃の角の逃げを許容するための空所２１，２１が形成してある。
【００１０】
また、図中１１が、ベース型板１、刃５及び押え板８上に位置し、ベース型板１に固定する支持板で、ベース型板１のネジ孔２，２に対応する位置にボルト挿通用透孔１２，１２を設けてあり、その中央位置に打ち抜き器（図示せず）に取り付けるための把持ボス１３をネジ込み固定してある。
さらに図中１４が、所定量突出する刃を保護し、打ち抜いた試験片及びシート材を押し出す押し出し兼保護用弾性板で、ダンベル状試験片と同一形状からなる試験片押し出し中央部１５とシート材押し出し用辺部１６とからなり、刃の突出量より厚い厚さがあり、実施例ではスポンジ板により構成してある。この外図中１７が本発明打ち抜きカッターを強固に組み立てるボルトであり、１９が長いボルトであり、２０がナットである。
【００１１】
上記の構成からなる本発明打ち抜きカッターを組み立てるには、ベース型板１上に支持板１１を載置してボルト１７，１７をボルト挿通用透孔１２，１２に挿通し、ベース型板１のネジ孔２，２に捻じ込んで仮止めしておく、次いで一対の刃５，５をその刃でない上縁を上にしてベース型板１の端面及び側面に密着させ、さらにこの刃５の外側に一対の押え板８を密着させ、ボルト１７，１７をボルト挿通用透孔１０及びスリット６，７に挿入し、ネジ孔３，４に捻じ込んで仮止めしておく。この際刃５，５の刃でない上縁全長を支持板１１の下面に当接させて位置決めをした後、各ボルト１７をしっかりと捻じ込んで強固に固定し、刃５，５をベース型板１と押え板８との間に挟持し、強固に固定し組み立てを完了する。
【００１２】
この本発明打ち抜きカッターは、その刃５，５を試験片の形状に予め合致させて形成してあるので、公知のカッターと相違し刃を組み込む際に強制的に変形させない。従って組み立てを分解する際に、刃の反発力によって刃が跳ねるようなことはない。また、刃を変形させないから比較的厚みがある強固な刃にすることができ、試験片の打ち抜き作業により刃が変形することもなく、その突出量も比較的大きくすることもできる。
そして突出した刃５を押し出し兼保護用弾性板１４の試験片押し出し中央部１５とシート材押し出し用周辺部１６の間に差し込んでおくと、刃が露出せず、刃を安全に保護するものである。
【００１３】
そこで、この本発明打ち抜きカッターを押し出し兼保護用弾性板１４を付けたままで打ち抜き器に取付けて、シート材から試験片を打ち抜けば押し出し兼保護用弾性板１４が圧縮されてシート材から試験片を打ち抜き、この打ち抜きが終了しカッターをシート材から離せば押し出し兼保護用弾性板１４の弾発力により試験片が押し出され、シート材も押し出される。
【００１４】
【発明の効果】
本発明打ち抜きカッターは、平面形状が試験片と同一形状をしたベース型板と、複数に分割した刃であり、この分割した刃を組み合わせて試験片と同一形状になるよう予め成形してある刃と、上記ベース型板の外側面をなす辺にほぼ密着する形状の側面を有する複数に分割した押え板と、上記ベース型板上に固定する支持板とからなり、上記刃をベース型板と押え板との間に挟持し、このベース型板及び押え板から突出させて固定し、支持板をベース型板上に固定してある。即ち、本発明では、複数に分割した刃を組み合わせて試験片と同一形状になるよう予め成形してあるから、この刃をベース型板と押え板との間に挟持して組み立てる際、あるいは分解する際、刃を変形させることなく、従って刃が跳ねることなく、危険がきわめて少ないという効果がある。また、刃を変形させることがないから、刃の厚みを厚くすることができ、打ち抜きの際に刃が曲がることなく、その結果刃の有効突出量を大きくでき、硬いシート材あるいは厚いシート材からも硬い試験片又は厚い試験片を打ち抜き成形することができる利点がある。
【００１５】
本発明打ち抜きカッターは、上記分割した刃を一対とし、それぞれが試験片の端面と側面に合致する形状とし、同じく分割した押え板を一対とし、それぞれが試験片の端面と側面に合致する形状の側面を有する形状としたものであり、また、上記分割した一対の刃をほぼＬ字型又はコ字型形状とし、同じく一対の押え板をほぼＬ字型又はコ字型形状としてあるから、この構成により、四分割に比しカッターの組み立て、分解の作業を容易且つ迅速に行うことがことができる効果がある。
さらに、本発明打ち抜きカッターは、突出する刃を保護し、打ち抜いた試験片及びシート材を押し出す押し出し兼保護用弾性板を設けてあり、また、上記押し出し兼保護用弾性板がスポンジ板であるから、刃を安全に保護することができ、人に対しても安全であり、試験片を打ち抜いた際に試験片に何らの跡形が付くこともない効果がある。
【図面の簡単な説明】
【図１】本発明打ち抜きカッターの分解斜視図である。
【図２】本発明打ち抜きカッターの正面図である。
【図３】本発明打ち抜きカッターの底面図である。
【図４】本発明打ち抜きカッターの断面図である。
【符号の説明】
１　ベース型板
２，３，４　ネジ孔
５　刃
６，７　スリット
８　押え板
９，１０　ボルト挿通用透孔
１１　支持板
１２　ボルト挿通用透孔
１３　把持ボス
１４　押し出し兼保護用弾性板
１５　試験片押し出し中央部
１６　シート材押し出し周辺部
１７　ボルト
１８　ボルト挿通用透孔
１９　長いボルト
２０　ナット
２１　空所
【図１】
2004050344.tif 000003
【図２】
2004050344.tif 000004
【図３】
2004050344.tif 000005
【図４】
2004050344.tif 000006